(57)【要約】【課題】ガスメータの積算値を圧縮して記憶することが可能なデータ記憶装置を提供する。【解決手段】データ記憶装置（データ収集装置２）は、ガスメータ（マイコンメータ）１で計測したガス使用量の積算値を圧縮する圧縮部２２と、圧縮部２２で圧縮された圧縮データを記憶する記憶部２３とを有する。圧縮部２２は、計測された積算値を、記憶部２３での記憶間隔を示す記憶間隔情報と、その積算値又は以前の積算値の差とに変換する変換手段を備えてもよい。【選択図】図１
2008058006.tif 000002
【特許請求の範囲】
【請求項１】
ガスメータで計測したガス使用量を記憶するデータ記憶装置であって、前記計測したガス使用量の積算値を圧縮する圧縮手段と、該圧縮手段で圧縮されたデータを記憶する圧縮データ記憶手段とを有することを特徴とするデータ記憶装置。
【請求項２】
前記圧縮手段は、前記計測された積算値を、前記圧縮データ記憶手段での記憶間隔を示す記憶間隔情報と、前記積算値又は以前の積算値の差とに変換する変換手段を有することを特徴とする請求項１に記載のデータ記憶装置。
【請求項３】
前記圧縮手段は、前記記憶間隔を変更する変更手段を有することを特徴とする請求項２に記載のデータ記憶装置。
【請求項４】
前記変更手段は、前記記憶間隔を、前記圧縮データ記憶手段における現在の記憶可能容量に応じて変更することを特徴とする請求項３に記載のデータ記憶装置。
【請求項５】
前記変更手段は、前記圧縮データ記憶手段での記憶処理を開始する処理開始間隔を予め決めておき、該処理開始間隔が経過する度にガス使用量の有無を判定し、ガス使用量有りの場合のみ、前記変換手段に変換の実行を指示することを特徴とする請求項３に記載のデータ記憶装置。
【請求項６】
前記圧縮手段は、前記圧縮データ記憶手段での記憶間隔を予め決めておき、該記憶間隔が経過する度にガス使用量の有無を判定し、該有無を示す１，０の値に変換する第二変換手段を有することを特徴とする請求項１に記載のデータ記憶装置。
【請求項７】
前記圧縮手段は、前記圧縮データ記憶手段での記憶間隔を予め決めておき、前記計測された積算値に対し前記記憶間隔が経過する度に予め決められた閾値で閾値処理を施し、前記積算値を複数のデジタル値のうちのいずれかの値に変換する第三変換手段を有することを特徴とする請求項１に記載のデータ記憶装置。
【請求項８】
前記圧縮手段は、前記圧縮データ記憶手段での記憶処理を開始する処理開始間隔を予め決めておき、該処理開始間隔が経過する度にガス使用量の有無を判定し、ガス使用量無し場合には、前記計測された積算値を、前回積算値を記憶した時間からの経過時間情報に変換する第四変換手段を有することを特徴とする請求項１乃至５のいずれか１項に記載のデータ記憶装置。
【請求項９】
前記圧縮手段は、前記圧縮データ記憶手段での記憶間隔を予め決めておき、前記計測された積算値に対し前記記憶間隔が経過する度に、以前の積算値の差に変換する第五変換手段を有することを特徴とする請求項１に記載のデータ記憶装置。
【請求項１０】
前記圧縮データ記憶手段で記憶された圧縮データを外部機器に送信するデータ送信手段を有することを特徴とする請求項１乃至９のいずれか１項に記載のデータ記憶装置。
【請求項１１】
前記圧縮手段は、当該データ記憶装置に接続された外部機器から設定された圧縮条件に従って、前記計測された積算値の圧縮を実行することを特徴とする請求項１乃至１０のいずれか１項に記載のデータ記憶装置。
【請求項１２】
当該データ記憶装置は、前記ガスメータに内蔵又は外付けされることを特徴とする請求項１乃至１１のいずれか１項に記載のデータ記憶装置。
【請求項１３】
当該データ記憶装置は、前記圧縮手段及び圧縮データ記憶手段の一部を前記ガスメータに内蔵し、残りを外付けしてなることを特徴とする請求項１乃至１１のいずれか１項に記載のデータ記憶装置。
【請求項１４】
請求項１乃至１３のいずれか１項に記載のデータ記憶装置における圧縮手段として、コンピュータを機能させるためのプログラム。
【発明の詳細な説明】
【技術分野】
【０００１】
本発明は、ガスメータのデータ記憶装置及びプログラムに関し、より詳細には、ガスメータで計測したガス使用量のデータを外部出力用に記憶するデータ記憶装置、及びその装置に組み込むためのプログラムに関する。
【背景技術】
【０００２】
従来から、各ガス消費者宅に設置されたガスメータのガス使用量データは、ガスメータ内部、或いは外付けされたデータ記憶装置に、積算値として所定時間間隔で記憶される。そして、この積算値は、ガス販売店に設置されている集中監視装置や、複数のガス販売店を運営する運営会社のデータ収集センタ装置に送信される。この送信は、ガスメータ又はデータ記憶装置に接続された通信端末装置から通信網を介して行われるか、或いはガスメータ又はデータ記憶装置からハンディターミナルで読み取ってガス販売店に持ち帰り転送するなどして行われる。
【０００３】
特許文献１には、ロードサーベイデータを収集するために要する時間の短縮化、ロードサーベイデータを収集するために消費される電源電力量の総和の低減化、電話回線等の通信経路やデータ通信モデムの使用時間の短縮化を目的とした光熱材使用量計測装置及びロードサーベイデータ収集システムが開示されている。特許文献１に記載のシステムでは、ロードサーベイデータ記憶部に新たに記憶されたロードサーベイデータの個数が所定個数に達する毎に、ガスメータ（光熱材使用量計測装置）が外部のロードサーベイデータ収集装置に対して通信経路の電話回線を介してアクセスし、その１度のアクセスで、所定個数のロードサーベイデータを一纏めにして連続してロードサーベイデータ収集装置に送信する。
【特許文献１】特開２００３−５８９７５号公報
【発明の開示】
【発明が解決しようとする課題】
【０００４】
しかしながら、特許文献１をはじめとする従来のロードサーベイ機能は、ガスの積算量を取得して分析するものであるが、細かいデータを取ろうとすると大量のメモリを必要とする。例えば、図９で示すデータ記憶処理では、積算値を８桁データで６４データ（ここではデータ間隔を１時間として６４時間分のデータ）を記憶するためには、４バイト×６４＝２５６バイトの容量が必要となる。また、細かいデータであればあるほど、データの送信に時間や通信コストがかかってしまう。
【０００５】
本発明は、上述のごとき実情に鑑みてなされたものであり、ガスメータの積算値を圧縮して記憶することが可能な、データ記憶装置及びそのデータ記憶装置に組み込むプログラムを、提供することをその目的とする。
【課題を解決するための手段】
【０００６】
本発明は、上述のごとき課題を解決するために、以下の各技術手段により構成される。
第１の技術手段は、ガスメータで計測したガス使用量を記憶するデータ記憶装置であって、前記計測したガス使用量の積算値を圧縮する圧縮手段と、該圧縮手段で圧縮されたデータを記憶する圧縮データ記憶手段とを有することを特徴としたものである。
【０００７】
第２の技術手段は、第１の技術手段において、前記圧縮手段は、前記計測された積算値を、前記圧縮データ記憶手段での記憶間隔を示す記憶間隔情報と、前記積算値又は以前の積算値の差とに変換する変換手段を有することを特徴としたものである。
【０００８】
第３の技術手段は、第２の技術手段において、前記圧縮手段は、前記記憶間隔を変更する変更手段を有することを特徴としたものである。
【０００９】
第４の技術手段は、第３の技術手段において、前記変更手段は、前記記憶間隔を、前記圧縮データ記憶手段における現在の記憶可能容量に応じて変更することを特徴としたものである。
【００１０】
第５の技術手段は、第３の技術手段において、前記変更手段は、前記圧縮データ記憶手段での記憶処理を開始する処理開始間隔を予め決めておき、該処理開始間隔が経過する度にガス使用量の有無を判定し、ガス使用量有りの場合のみ、前記変換手段に変換の実行を指示することを特徴としたものである。
【００１１】
第６の技術手段は、第１の技術手段において、前記圧縮手段は、前記圧縮データ記憶手段での記憶間隔を予め決めておき、該記憶間隔が経過する度にガス使用量の有無を判定し、該有無を示す１，０の値に変換する第二変換手段を有することを特徴としたものである。
【００１２】
第７の技術手段は、第１の技術手段において、前記圧縮手段は、前記圧縮データ記憶手段での記憶間隔を予め決めておき、前記計測された積算値に対し前記記憶間隔が経過する度に予め決められた閾値で閾値処理を施し、前記積算値を複数のデジタル値のうちのいずれかの値に変換する第三変換手段を有することを特徴としたものである。
【００１３】
第８の技術手段は、第１乃至第５のいずれかの技術手段において、前記圧縮手段は、前記圧縮データ記憶手段での記憶処理を開始する処理開始間隔を予め決めておき、該処理開始間隔が経過する度にガス使用量の有無を判定し、ガス使用量無し場合には、前記計測された積算値を、前回積算値を記憶した時間からの経過時間情報に変換する第四変換手段を有することを特徴としたものである。
【００１４】
第９の技術手段は、第１の技術手段において、前記圧縮手段は、前記圧縮データ記憶手段での記憶間隔を予め決めておき、前記計測された積算値に対し前記記憶間隔が経過する度に、以前の積算値の差に変換する第五変換手段を有することを特徴としたものである。
【００１５】
第１０の技術手段は、第１乃至第９のいずれかの技術手段において、前記圧縮データ記憶手段で記憶された圧縮データを外部機器に送信するデータ送信手段を有することを特徴としたものである。
【００１６】
第１１の技術手段は、第１乃至第１０のいずれかの技術手段において、前記圧縮手段は、当該データ記憶装置に接続された外部機器から設定された圧縮条件に従って、前記計測された積算値の圧縮を実行することを特徴としたものである。
【００１７】
第１２の技術手段は、第１乃至第１１のいずれかの技術手段において、当該データ記憶装置は、前記ガスメータに内蔵又は外付けされることを特徴としたものである。
【００１８】
第１３の技術手段は、第１乃至第１１のいずれかの技術手段において、当該データ記憶装置は、前記圧縮手段及び圧縮データ記憶手段の一部を前記ガスメータに内蔵し、残りを外付けしてなることを特徴としたものである。
【００１９】
第１４の技術手段は、第１乃至第１３のいずれかの技術手段のデータ記憶装置における圧縮手段として、コンピュータを機能させるためのプログラムである。
【発明の効果】
【００２０】
本発明によれば、ガスメータの積算値を圧縮して記憶することが可能となる。
【発明を実施するための最良の形態】
【００２１】
図１は、本発明に係るガスメータのデータ記憶装置を備えたデータ収集システムの構成例を示す概略図である。本発明に係るデータ収集システム（以下、本システムという）は、都市ガスやＬＰガス等の分野においてガス使用量データを送信するシステムであり、ガスメータが設置されているガス需要家のガス使用負荷の実態を把握するためのシステムである。
【００２２】
本システムでは、ガスメータ（マイコンメータ）１が各ガス消費者宅に設置され、ガス販売店、又は複数のガス販売店を運営するか或いは親会社となる運営会社には、データ収集センタ装置（以下、センタ装置という）５が設置されている。また、本システムでは、ガス使用量のデータをガスメータ１から取得するために、ガスメータ１に接続されたデータ収集装置２、及びデータ収集装置２に接続された通信端末装置３（或いは図示しないハンディーターミナル、以下同様）が用いられる。通信端末装置３とセンタ装置５との間は、電話回線網、携帯電話回線網、ＰＨＳ網などによって接続されている。
【００２３】
図１で例示したガスメータ１は、ガス使用量をガス流量を計測する計測部１１と、データ収集装置２との通信を行う通信部１２とを有し、ガス使用量のロードサーベイシステムにおいて使用するメータである。
【００２４】
また、図１で例示したデータ収集装置２は、本発明に係るデータ記憶装置に相当する。データ収集装置２は、ガスメータ１で計測したガス使用量を積算値として記憶する。但し、本発明では、後述するように適宜圧縮処理を施して積算値の記憶を行う。
【００２５】
データ収集装置２は、計測したガス使用量の積算値をガスメータ１から受信し圧縮する圧縮手段（圧縮部２２で例示）と、圧縮部２２で圧縮されたデータを記憶する圧縮データ記憶手段（記憶部２３で例示）とを有する。データ収集装置２は、ガスメータ１や通信端末装置３との通信を行うための通信部２１を有する。通信部２１は、通信端末装置３等の外部機器に対し、記憶部２３に記憶された圧縮データを送信するデータ送信手段を有する。
【００２６】
データ収集装置２は、圧縮処理をソフトウェア（又はファームウェア）として組み込んでもよい。このような形態におけるデータ収集装置２は、全体を制御する演算処理装置としてのＣＰＵ、作業領域としてのＲＡＭ、圧縮プログラムの格納領域としてのＲＯＭ、記憶部２３に相当する記憶装置、及び外部機器との通信を行う通信Ｉ／Ｆなどが、バスによって接続されてなる。そして、上述の圧縮プログラムは、ＣＰＵによってＲＡＭに読み出されて実行され、通信Ｉ／Ｆから受信してＲＡＭに一時的に記憶させた積算値に対して圧縮処理を施し、圧縮したデータを記憶装置に記憶する。
【００２７】
このように、本発明は、上述のごときデータ記憶装置に組み込むか、或いは後述するようにガスメータ１に組み込むか、双方に組み込み、上述の圧縮手段として、ＣＰＵ等でなるコンピュータを機能させるための圧縮プログラムとしての形態も採用できる。また、本発明は、この圧縮プログラムを記録したコンピュータ読取可能な、ＦＤ、ＣＤ、ＤＶＤ、ＭＯ、ＵＳＢメモリ等の記録メディアとしての形態も採用できる。
【００２８】
一方、記憶部２３に圧縮後に記憶された積算値のデータは、通信端末装置３を介してセンタ装置５に送信される。センタ装置５は、送信されたデータを受信する通信部５１と、その圧縮データを伸長する伸長部５２と、伸長部５２で伸長した積算値のデータを記憶するか、或いは通信部５１で受信した圧縮データをそのまま記憶する記憶部５３とを有する。伸長部５２では、基本的に圧縮部２２での圧縮処理と逆の処理でデータ伸長を行うとよい。
【００２９】
実際、細かいデータを取ろうとすると大量のメモリを必要とするが、データを圧縮することで、メモリの効率的な利用を可能にして、より有効なデータを蓄積することができる。また、通信時間の短縮や安価なメモリを使用することができる。
【００３０】
このように、本発明では、積算値のデータを圧縮することで、メモリの効率的な利用を可能にして、より有効なデータのみを蓄積することができる。実際に、ガスメータでは、積算値の蓄積以外の処理でもメモリを使用する必要があり、そのようなメモリ使用の制約があった場合にも、本発明では効率良くメモリが活用できるので、メモリのコスト低減も可能となる。また、データ量を圧縮し少なくすることは、通信又はデータ収集装置でデータを収集する場合に、時間及びコスト的にも有利である。
【００３１】
図２乃至図４は、図１のシステムにおけるデータ収集装置の他の圧縮処理を説明するための図である。上述した圧縮部２２は、計測された積算値を、記憶部２３での記憶間隔を示す記憶間隔情報と、その積算値又は以前の積算値の差とに変換する変換手段を備えてもよい。図２には、２ビットの記憶間隔情報とその意味を示している。この例では、「００」が１５分間隔、「０１」が１時間間隔、「１０」が１日間隔を表す記憶間隔情報となる。これにより、後述する様々な方法によって記憶容量の低減が可能となる。
【００３２】
例えば、上述した圧縮部２２は、記憶部２２の容量（現在の記憶可能容量）が或る閾値より少なくなるなどの所定の条件に基づいて、その記憶間隔を変更する変更手段を設けてもよい。すなわち、記憶部２３に記憶されるデータとしては、積算値の差又は積算値と記憶間隔情報（記憶条件ともいえる）を持ち、この記憶条件を自動的に変更していくとよい。記憶間隔の変更は、計測部１１での計測時間間隔の変更により行い、記憶実行を計測毎に行うようにしてもよい。
【００３３】
記憶間隔情報を２ビット持たせることにより、計測の初期には短い間隔で記憶させていき、記憶部２３のメモリ容量がオーバーフローしたときにデータエリアを空けるようにするとよい。例えば、図３の左側のデータはオーバーフロー時のものであるが、このうち古いデータ（ここでは下４つのデータ）を纏め、１時間間隔のデータ（記憶条件＝「０１」）として、すなわち記憶間隔を一つ延ばし（次の時間間隔に更新し）、図３の右側のデータのように再記憶してデータエリアを空ける。さらにデータエリア不足となった場合には次に古いデータを記憶条件を「１０」として再記憶させればよい。さらにデータエリア不足となった場合には記憶条件を「１０」として再記憶させればよく、このように記憶間隔を自動的に一つずつ延ばして行けばよい。
【００３４】
また、図４の左側のデータはオーバーフロー時のものであるが、３２データのうち全てのデータを纏め、１時間間隔のデータ（記憶条件＝「０１」）として、すなわち記憶間隔を一つ延ばし（次の時間間隔に更新し）、図４の右側のデータのように再記憶してデータエリアを空ける。
【００３５】
このように、データを自動的に圧縮しながら蓄積していくことで、例えば、３０日のデータであれば、日毎データ２９個、時間毎データ２３個、１５分データ４個の５６データで構成でき、且つ直近の細かいデータを含んで表すことができる。すなわち、決められたメモリ容量の中で、直近は細かいデータを取れ、且つ時間の経過と共により長時間のデータを蓄積することができる。
【００３６】
図５及び図６は、図１のシステムにおけるデータ収集装置の他の圧縮処理を説明するための図である。上述の変更手段は、記憶部２３での記憶処理を開始する処理開始間隔を予め決めておき、その処理開始間隔が経過する度にガス使用量の有無を判定し、ガス使用量有りの場合のみ、変換手段に変換の実行を指示するよう構成してもよい。すなわち、この形態における圧縮部２２では、積算量記録の時間間隔を予め決めておき、ガス流量有りの時のみスタート時間からの経過時間情報（カウンタ等）とその時の積算量とを記憶部２３に記憶していくようにしてもよい。
【００３７】
図５を参照すると、スタート時にスタート日時（この例では８：００）と処理開始間隔（時間間隔：ここでは１時間毎）を記憶して、積算量有りの時のみ、その時の経過時間と積算値の差（又は積算値）を記憶することによりデータ量を少なくする。経過時間は、５ビット（１バイト未満）のデータ量で表せる。また、積算値が３桁データの場合には、４ビット×３＝１２ビット（２バイト未満）で表せる。
【００３８】
従って、この例では、スタートから１時間後に積算量が１００Ｌ、１〜５時間後の間に２００Ｌ、５〜２３時間後の間に５０Ｌとなり、１日６時間ガス使用時で１データ（２バイト＋１バイト）×２４ｈ×７÷４＝１２６バイトで済む。なお、このような圧縮データも図５の右側に示したように、伸長可能である。これに対し従来技術では、１時間間隔で積算値６桁を７日間取得した場合のメモリ容量が１データ３バイト×２４ｈ×７＝５０４バイトとなる。
【００３９】
図６を参照すると、スタート時にスタート日時（この例では８：００）と処理開始間隔（時間間隔：ここでは１５分毎）を記憶して、積算量有りの時のみ、その時の経過時間と積算値の差（又は積算値）を記憶することによりデータ量を少なくする。この例では、時系列の値を例示していないが、ガス流量が有りの場合には図６の左側のデータのように８ビット（１バイト）のデータ量で経過時間が表せる。また、積算値が６桁のデータの場合には、図６の右側で例示するように４ビット×６＝２４ビット（３バイト）で表せる。
【００４０】
従って、１日６時間ガス使用時で、１データ（３バイト＋１バイト）×２４÷４＝２４バイトで済む。これに対し従来技術では、１５分間隔で積算値６桁を１日間取得した場合のメモリ容量が１データ３バイト×４×２４＝２８８バイトとなる。
【００４１】
これらの例のように、実際には１日の中でガス使用はあまり連続せず、積算量がゼロのときはデータとして記憶しておく必要がない。この不必要な部分を上述のごとく流量が有った時間間隔の時のみ記憶し省略することで、多くのメモリが必要とならずに済む。
【００４２】
図７は、図１のシステムにおけるデータ収集装置の他の圧縮処理を説明するための図である。上述した圧縮部２２は、図２乃至図６で説明した圧縮方法の代わりに、次のような圧縮方法を採用した第二変換手段を設けるようにしてもよい。
【００４３】
第二変換手段は、記憶部２３での記憶間隔を予め決めておき、その記憶間隔が経過する度にガス使用量の有無を判定し、有無を示す１，０の値に変換して記憶部２３に渡す。記憶部２３は、圧縮部２２から受け取った変換値を記憶すればよい。例えば、図７において色付き／色無しで分類しているように、１時間間隔に設定しておきその時に積算量が有るか否かで、１日毎のガス使用の有無（０，１）に変換し記憶していく。
【００４４】
このように、決められた時間毎の積算量をガス使用の有無（０，１）に変換し記憶することで、１時間毎などの流量の有り無しが判り、今まで１ヶ月の使用量しか判らなかったものが、時間単位でガスの使用実体を把握することができ、消費者のガス使用実態やガスの連続使用などを知ることができる（図７の表をそのまま示しても分かり易い）。なお、この形態においては不可逆圧縮であり、伸長処理ができないため、この他に１ヶ月の積算量を課金用に記憶しておいてもよい。
【００４５】
また、第二変換手段の代わりに次の第三変換手段を採用してもよい。第三変換手段では、記憶部２３での記憶間隔を予め決めておき、計測された積算値に対し記憶間隔が経過する度に予め決められた閾値（複数の閾値）で閾値処理を施し、その積算値を複数のデジタル値のうちのいずれかの値に変換して記憶部２３に渡す。記憶部２３は、圧縮部２２から受け取った変換値を記憶する。例えば、１５分間隔に設定しておき、その時の積算量を例えば大、中、小、無し（０，１，２，３）の４区分の値に決めておくことにより、４値の値に変換し記憶する。４値であれば２ビットで表現できる。
【００４６】
積算量を大流量器具、中流量器具、小流量器具、無しに該当するように閾値処理して分割し、それぞれ３，２，１，０に変換することで、どの大きさの器具をいつ、どのくらい使用しているかということを把握でき、効率の良い器具や、より便利な器具、省エネ器具などを提案することができる。
【００４７】
また、第三変換手段の代わりに次の第四変換手段を採用してもよい。第四変換手段では、記憶部２３での記憶処理を開始する処理開始間隔を予め決めておき、その処理開始間隔が経過する度にガス使用量の有無を判定し、ガス使用量無し場合には、計測された積算値を、前回積算値を記憶した時間からの経過時間情報に変換し記憶部２３に渡す。記憶部２３は、圧縮部２２から受け取った経過時間情報を記憶すればよい。このとき、積算量有りの場合は、その時間間隔の積算量を記憶すればよく、ガス使用無し分だけデータ量を少なくすることができる。
【００４８】
また、この第四変換手段は、上述した変換手段と併用することもできる。例えば、積算量ゼロの場合と有りの場合の情報を持ち、積算量ゼロの場合、記憶条件にゼロが続いた時間データを記憶する。積算量ゼロの場合、記憶条件に積算量ゼロの情報とどれだけゼロが続いたの時間を記憶しておくことで、データ量（積算値又は積算量）分を削減する。そして、積算量有りの場合には、積算値又は以前の積算値との差を記憶させるとよい。より具体的には、時間間隔が３０分毎、スタート時刻が８：００、２４時間計測、スタート値０００．０００ｍ３とすると、従来ではデータ３バイト×２×２４＝１４４バイト必要であるのに対し、この例では、（記憶条件１バイト＋データ３バイト）×２×６＝４８バイトで済む。この例でも、全部の積算値データを記憶する必要がないのでメモリを縮小できる。
【００４９】
図８は、図１のシステムにおけるデータ収集装置の他の圧縮処理を説明するための図である。上述した各実施形態において一部触れたように、積算値の代わりに積算値の差を記憶させてもよい。すなわち、上述の第三変換手段の代わりに次の第五変換手段を採用してもよい。第五変換手段は、記憶部２３での記憶間隔を予め決めておき、計測された積算値に対し記憶間隔が経過する度に、以前の積算値の差に変換して記憶部２３に渡す。記憶部２３はその差を記憶する。このように、スタート時の積算値を記憶しておけば、後は差量のみ記憶することで、データ量を圧縮でき且つ後に伸長可能となる。
【００５０】
図８を参照すると、８桁積算値データの前回積算値との差量を記憶することで、記憶数を６４データ、記憶間隔を１時間間隔とした場合には、スタート値４バイト＋（２バイト×６３）＝１３０バイトで済む。なお、１時間間隔の場合には一般家庭用のメータの容量が２５００Ｌ／ｈなので積算値は最大でも２５００Ｌと考えれば、１０進数処理で２バイトでよい。これに対し、従来技術では図９で例示したように２５６バイト必要である。このように、全部の積算値データを記憶する必要がないのでメモリを縮小できる。
【００５１】
以上、本発明に係るデータ記憶装置がデータ収集装置２に組み込まれる例を示したが、この例では、ガスメータ１の外部にデータ収集装置２を接続することで従来のガスメータの利用も可能となる。従来のガスメータは積算量を累積するだけであったが、大きなメモリを必要としないで積算量データを取得できるメータが簡単にできる。
【００５２】
また、圧縮部２２は、データ記憶装置（この例ではデータ収集装置２）に接続された外部機器（例えば通信端末装置３等）から設定された圧縮条件に従って、計測された積算値の圧縮を実行するようにしてもよい。ここで設定される圧縮条件としては、上述した各実施形態のうちどのような圧縮方法を採用するかの設定や、各圧縮方法における詳細設定などが挙げられる。
【００５３】
また、本発明に適用可能な他のシステム形態としては、圧縮部２２及び記憶部２３及び上述のデータ送信手段の一部又は全部を、ガスメータ１の本体に内蔵して組み込むようにしてもよい。一部をガスメータ１の本体に組み込んだ場合には、残りをデータ収集装置２に組み込み（すなわちガスメータ１に外付けで設け）、ガスメータ１とデータ収集装置２とがデータを送受しながら圧縮・記憶処理を実行することとなる。なお、圧縮部２２をデータ収集装置２に設け、記憶部２３をガスメータ１に内蔵した場合には、ガスメータ１で計測された積算値を一旦、データ収集装置２に転送して圧縮処理してからガスメータ１に再度戻されることとなる。
【図面の簡単な説明】
【００５４】
【図１】本発明に係るガスメータのデータ記憶装置を備えたデータ収集システムの構成例を示す概略図である。
【図２】図１のシステムにおけるデータ収集装置の他の圧縮処理を説明するための図である。
【図３】図２と共に圧縮処理を説明するための図である。
【図４】図２と共に圧縮処理を説明するための図である。
【図５】図１のシステムにおけるデータ収集装置の他の圧縮処理を説明するための図である。
【図６】図５と共に圧縮処理を説明するための図である。
【図７】図１のシステムにおけるデータ収集装置の他の圧縮処理を説明するための図である。
【図８】図１のシステムにおけるデータ収集装置の他の圧縮処理を説明するための図である。
【図９】従来のデータ収集システムにおけるデータ記憶処理を説明するための図である。
【符号の説明】
【００５５】
１…マイコンメータ（ガスメータ）、２…データ収集装置（データ記憶装置）、３…通信端末装置、４…網、５…データ収集センタ装置（センタ装置）、１１…計測部、１２，２１，５１…通信部、２２…圧縮部、２３，５３…記憶部、５２…伸長部。
【図１】
2008058006.tif 000003
【図２】
2008058006.tif 000004
【図３】
2008058006.tif 000005
【図４】
2008058006.tif 000006
【図５】
2008058006.tif 000007
【図６】
2008058006.tif 000008
【図７】
2008058006.tif 000009
【図８】
2008058006.tif 000010
【図９】
2008058006.tif 000011